(57)【要約】【課題】吸着して枚葉する際に保護シートにシワが発生することがなく、印刷版と保護シートとを共に同時に安定して吸着して枚葉することができる印刷版の吸着盤を得る。【解決手段】吸着盤４０は、剛性体から成る本体部４２及び弾性体から成るスカート部４４とスプリング５０とによって構成されている。枚葉時に印刷版１２から吸着盤４０にモーメントが作用すると、スプリング５０が弾性変形することで、作用したモーメント方向へ本体部４２が変位（傾斜）されて吸着盤４０に対する実荷重が減少し、吸着盤４０に作用するモーメントが減少された状態となる（モーメントが実質的に吸収される）。また、モーメントを逃がすスプリング５０は、本体部４２及びスカート部４４と構造上分離しているので、吸着盤４０が変形することがなくなり、合紙１３がつられて変形してシワが発生することがなくなる。【選択図】        図３
2004189392.tif 000002
【特許請求の範囲】
【請求項１】
印刷版と前記印刷版の上面に重ね合わされた保護シートとを前記保護シートの側から共に同時に吸着して枚葉する印刷版の吸着盤であって、
剛性体によって形成され、前記吸着時に前記保護シートに対向し吸着力を発生するための吸着面を有する本体部と、
弾性体によって形成され、前記本体部の吸着面の周囲に設けられ、前記吸着時に弾性変形して前記保護シートに密着し気密性を確保するためのスカート部と、
前記本体部に接続されて前記本体部を支持すると共に、前記枚葉時に前記印刷版から作用するモーメント方向へ前記本体部を変位させて前記モーメントを吸収するモーメント吸収手段と、
を備えたことを特徴とする印刷版の吸着盤。
【発明の詳細な説明】
【０００１】
【発明の属する技術分野】
本発明は、印刷版とこの印刷版の上面に重ね合わされた保護シートとを保護シートの側から共に同時に吸着して枚葉する印刷版の吸着盤に関するものである。
【０００２】
【従来の技術】
支持体上に記録層（感光層）が設けられた印刷版（例えば、ＰＳ版、サーマルプレート、フォトポリマー版等）を用い、この印刷版の感光層に直接レーザビーム等で画像を記録する技術が開発されてきている（印刷版露光装置）。このような技術では、印刷版への迅速な画像記録が可能となっている。
【０００３】
ここで、印刷版への画像記録の技術を用いる印刷版自動露光装置では、多数枚の印刷版が積層してカセット内に収容されているが、印刷版の画像形成面は傷つき易くこの画像形成面の保護のために、印刷版の画像形成面には保護シート（合紙）が重ね合わされ、これらが順次層状に積層されてカセット内に収容されている。印刷版を枚葉する際には、カセット内に積層された複数枚の印刷版のうち最上層の印刷版の一端部を吸盤によって吸着して他と分離し、１枚ずつ取り出して反転させながら次工程（例えば、露光工程）へ枚葉（搬送供給）するようになっている（例えば、特許文献１）。
【０００４】
ところで、前述の如く印刷版を吸盤によって吸着して１枚ずつ取り出し反転させながら枚葉する際には、吸盤には、垂直方向の力（印刷版からの荷重）以外に、吸盤吸着位置（吊り下げ位置）に対し前記荷重に起因したモーメントが作用する。従来の一般的なゴム吸盤の場合には、吸盤全体がゴム等の弾性体であるため、前記モーメントが作用すると、当該モーメントに応じて吸盤自体（スカート部分）が変形し、吸盤の軸線（垂直方向）に対し印刷版が傾き（吸盤に対する荷重作用位置が変位し）、結果的にモーメントが減少した状態となり、これにより吸盤の実質的な限界吸着能力を高めるように作用して、印刷版の吸着枚葉が阻害されないようになっている（一般的に、吸盤の吸着力垂直成分は、前記モーメントよりも強い）。
【０００５】
ところが、この種の印刷版自動露光装置では、近年、枚葉サイクルタイムの短縮、枚葉機構の簡略化、枚葉機構の省スペース化、あるいは低コスト等のために、保護シートに僅かに通気性を持たせ、印刷版とこの印刷版に重ね合わされた保護シートとを１組として保護シートの側から共に同時に吸盤によって吸着して枚葉することが考えられている。
【０００６】
このため、従来の一般的なゴム吸盤の場合には、前述の如く吸着枚葉の際にモーメントが作用することで吸盤自体が変形すると、印刷版に重ね合わされた保護シートがつられて変形し、シワが発生する可能性がある。このようにゴム吸盤による吸着の際に保護シートにシワが発生すると、この保護シートと印刷版との間で空気漏れが生じ、印刷版と保護シートとを共に同時に吸着して枚葉することができなくなってしまう。
【０００７】
【特許文献１】
特開２０００−２４７４８９公報
【０００８】
【発明が解決しようとする課題】
本発明は上記事実を考慮し、吸着して枚葉する際に保護シートにシワが発生することがなく、印刷版と保護シートとを共に同時に安定して吸着して枚葉することができる印刷版の吸着盤を得ることが目的である。
【０００９】
【課題を解決するための手段】
請求項１に係る発明の印刷版の吸着盤は、印刷版と前記印刷版の上面に重ね合わされた保護シートとを前記保護シートの側から共に同時に吸着して枚葉する印刷版の吸着盤であって、剛性体によって形成され、前記吸着時に前記保護シートに対向し吸着力を発生するための吸着面を有する本体部と、弾性体によって形成され、前記本体部の吸着面の周囲に設けられ、前記吸着時に弾性変形して前記保護シートに密着し気密性を確保するためのスカート部と、前記本体部に接続されて前記本体部を支持すると共に、前記枚葉時に前記印刷版から作用するモーメント方向へ前記本体部を変位させて前記モーメントを吸収するモーメント吸収手段と、を備えたことを特徴としている。
【００１０】
請求項１記載の印刷版の吸着盤では、印刷版と保護シートとを保護シートの側から共に同時に吸着して枚葉する。吸着に際しては、本体部の吸着面が保護シートに対向し吸着力を発生し、スカート部が保護シート面に追従しながら弾性変形して保護シートに密着し気密性が確保される。
【００１１】
ここで、吸着し枚葉する際の負荷が吸着盤に掛かっても、本体部は剛性体によって形成されているため、吸着の際の負荷によって本体部が変形することがない。
【００１２】
またしかも、この本体部にはモーメント吸収手段が接続されているため、枚葉時に印刷版からモーメントが作用すると、モーメント方向へ本体部が変位（傾斜）されて吸着盤（本体部）に対する実モーメント発生荷重が減少し、結果的に吸着盤の吸着位置に対するモーメントが減少された状態となる（モーメントが実質的に吸収される）。したがって、吸着し枚葉する際の負荷が吸着盤に掛かっても過大な前記モーメントが吸着盤に作用することがないため、吸着盤の実吸着能力が向上する。
【００１３】
また、小さな吸着面積の吸盤、少ない真空到達度の吸引力であっても、印刷版と保護シートとを共に同時に安定して吸着して枚葉することができる。
【００１４】
なお、前記モーメント吸収手段は、スプリングやゴム等の弾性体によって構成することができる。
【００１５】
【発明の実施の形態】
図４には、本発明の第１の実施の形態に係る吸着盤４０が適用された印刷版自動露光装置１０の概略的な全体構成が示されている。
【００１６】
この印刷版自動露光装置１０は、印刷版１２の画像形成層に光ビームを照射して画像を露光する露光部１４と、印刷版１２を枚葉して前記露光部１４へ搬送する枚葉搬送部１５と、の２つのブロックに分かれている。また、この印刷版自動露光装置１０によって、露光処理された印刷版１２は、印刷版自動露光装置１０に隣接した設置された図示しない現像装置へ送り出されるようになっている。
［露光部１４の構成］
露光部１４は、印刷版１２を周面に巻付けて保持する回転ドラム１６を主要部として構成されており、印刷版１２は、搬送ガイドユニット１８に案内されて、この回転ドラム１６の接線方向から送り込まれるようになっている。搬送ガイドユニット１８は、給版ガイド２０と排版ガイド２２とで構成されており、この搬送ガイドユニット１８における、枚葉搬送部１５との境界側には、搬送ローラ１０８とガイド板１０９とが配設されている。
【００１７】
搬送ガイドユニット１８の給版ガイド２０と排版ガイド２２とは、互いの相対位置関係が横Ｖ字型とされ、図４の右端部側の中心として、所定角度回動する構造となっている。この回動によって、給版ガイド２０を選択的に前記回転ドラム１６に対応させる位置（回転ドラム１６の接線方向に配置させる位置）と、回転ドラム１６の上方に設けられたパンチャー２４への挿入方向位置とに配置することができる。前記枚葉搬送部１５から送り込まれた印刷版１２は、まず、給版ガイド２０に案内されてパンチャー２４へ送り込まれ、この印刷版１２の先端に位置決め用の切欠きを形成する。また、印刷版１２は、必要に応じてパンチャー２４による処理後、一旦給版ガイド２０に戻されることで、回転ドラム１６に対応する位置に移動される構成である。
【００１８】
回転ドラム１６は、図示しない駆動手段によって、印刷版１２の装着露光方向（図４の矢印Ａ方向）及び装着露光方向と反対方向となる印刷版１２の取外し方向（図４の矢印Ｂ方向）へ回転される。
【００１９】
また、回転ドラム１６には、外周面の所定の位置に、先端チャック２６が取付けられている。露光部１４では、この回転ドラム１６に印刷版１２を装着するときに、先ず、先端チャック２６が、搬送ガイドユニット１８の給版ガイド２０によって送り込まれる印刷版１２の先端に対向する位置（印刷版装着位置）で回転ドラム１６を停止させる。
【００２０】
さらに、露光部１４には、印刷版装着位置で先端チャック２６に対向して装着ユニット２８が設けられている。先端チャック２６は、この装着ユニット２８の伸縮ロッド２８Ａが伸長して一端側が押圧されることにより、回転ドラム１６の周面との間に印刷版１２の挿入が可能となる。印刷版１２の先端が先端チャック２６と回転ドラム１６の間に挿入された状態で、装着ユニット２８の伸縮ロッド２８Ａを引き戻して先端チャック２６への押圧を解除することにより、印刷版１２の先端を先端チャック２６と回転ドラム１６の周面との間で挟持して保持する構成である。なお、このときには、印刷版１２は、先端が回転ドラム１６に設けられた位置決めピン（図示省略）に突き当てられて位置決めされる。回転ドラム１６に印刷版１２の先端が固定されると、回転ドラム１６を装着露光方向へ回転する。これにより、搬送ガイドユニット１８の給版ガイド２０から送り込まれる印刷版１２は、回転ドラム１６の周面に巻き付けられる構成である。
【００２１】
回転ドラム１６の周面近傍には、印刷版装着位置よりも装着露光方向（図４の矢印Ａ方向）の下流側にスクイズローラ３０が配置されている。このスクイズローラ３０は、回転ドラム１６に向けて移動することにより回転ドラム１６に巻き付けられる印刷版１２を回転ドラム１６へ向けて押圧し、印刷版１２を回転ドラム１６の周面に密着させることができる。
【００２２】
また、露光部１４には、先端チャック２６よりも回転ドラム１６の装着露光方向上流側近傍に後端チャック着脱ユニット３２が配置されている。後端チャック着脱ユニット３２には、回転ドラム１６へ向けて突出されたガイドに沿って後端チャック３６が移動するようになっている。回転ドラム１６に巻き付けた印刷版１２の後端が、後端チャック着脱ユニット３２に対向すると、後端チャック３６を回転ドラム１６方向へ移動させて、後端チャック３６を回転ドラム１６の所定の位置に装着する。これにより、後端チャック３６が、回転ドラム１６との間で印刷版１２の後端を挟持して保持する構成である。
【００２３】
印刷版１２の先端及び後端を回転ドラム１６に保持させると、スクイズローラ３０を離間させる（図４の鎖線参照）。この後、露光部１４では、回転ドラム１６を所定の回転速度で高速回転させながら、この回転ドラム１６の回転に同期させて、記録ヘッド部３７から画像データに基づいて変調した光ビームを照射する。これにより、印刷版１２が画像データに基づいて走査露光されるようになっている。
【００２４】
印刷版１２への走査露光が終了すると、印刷版１２の後端を保持している後端チャック３６が後端チャック着脱ユニット３２に対向する位置で回転ドラム１６を一時停止させ、回転ドラム１６から後端チャック３６を取り外す。これにより、印刷版１２の後端が開放される。その後、回転ドラム１６を印刷版１２の取出し方向へ回転させることで、印刷版１２は後端側から回転ドラム１６の接線方向に沿って、搬送ガイドユニット１８の排版ガイド２２へ排出され、その後、次工程の現像装置へ搬送される構成である。
［枚葉搬送部１５の構成］
図４に示す如く、枚葉搬送部１５には、所定のスペースのカセットストッカ部１１が設けられ、装置設置面に対して平行とされたカセット３８が設けられている。カセット３８は、複数段積み重ねられている。このカセット３８には、印刷版１２が複数枚収容されている。図５に示す如く、印刷版１２は、支持体１２Ａに乳剤面１２Ｂ（画像記録面）が形成された構成であり、カセット３８内には、印刷版１２の乳剤面１２Ｂ保護用の保護シートとしての合紙１３と、乳剤面１２Ｂが下向きとされた印刷版１２とが交互に積層されて収容されている。
【００２５】
ここで、本実施の形態のカセット３８は、互いに水平方向にオフセットされた状態で積み重ねられている。このオフセット量は、後述する吸着盤４０による各カセット３８からの印刷版１２（及び保護シートとしての合紙１３）の持出時の移動軌跡に基づいて設定されている。
【００２６】
枚葉搬送部１５は、印刷版１２の幅方向に沿って設けられたベースプレート（図示省略）に複数の吸着盤４０が所定のピッチ間隔で配設されている。吸着盤４０は複数の系統に分類されている。これにより、印刷版１２のサイズに基づいて、系統を選択して吸着機能を持たせることで、印刷版１２をバランスよく吸着することができる。
【００２７】
カセット３８の上部には、吸着盤４０を吊り下げ支持すると共に当該吊り下げ支持する基点７０をカセット３８の図４の左右方向へ略水平移動可能な移動機構７２が設けられている。
【００２８】
移動機構７２は、複数の吸着盤４０をカセット３８の幅方向に沿って支持するプレートと、このプレートが掛け渡される一対のレール（共に図示省略）で構成されている。
【００２９】
前記吸着盤４０を支持する基点７０は、回動可能とされている。ここで、各カセット３８から印刷版１２を持ち出す際、吸着盤４０が取付られるプレートは、レール上における各カセット３８の図４の右端部に位置している。
【００３０】
ここで、カセット３８内には合紙１３と乳剤面１２Ｂが下向きとされた印刷版１２とが交互に積層されているため、吸着盤４０は、カセット３８内の上層側の合紙１３に接触することになる。接触した時点で吸着盤４０に吸着力を持たせると、上層の合紙１３はもちろん、その下層の印刷版１２にも吸着力が伝えられ、合紙１３と印刷版１２とが対（１組）となって（共に同時に）吸着されて、持ち上げられる。なお、図４では、吸着盤４０の昇降については省略しているが、各カセットの高さ位置まで下降し、各カセット３８に設けられたさばき板３９によって、吸着した合紙１３及び印刷版１２以外の下層の合紙１３及び印刷版１２から「捌き」（分離し）、この状態で上端位置まで上昇するようになっている。
【００３１】
このとき、印刷版１２の長さ（図４の左右方向長さ）により、各段のカセット３８からの垂直方向の持ち出しにおいて、異なる移動軌跡となる。すなわち、本実施の形態にように３段の場合、最上段のカセット３８からの持出時は印刷版１２の先端部のみが持ち上げられ、中段のカセット３８からの持出時は、印刷版１２の２／３程度が持ち上げられ、下段のカセット３８からの持出時は、印刷版１２が全て吊り下げられた状態となる。
【００３２】
このような状態で吸着盤４０を支持するプレートは、基点７０を中心に図４の反時計方向へ回転し始め、かつレールに沿ってカセット３８の図４の左方向へ移動を開始する。これにより、吸着盤４０の吸着点は所謂サイクロイド曲線を描きながら移動することになる。この移動軌跡に基づいて、各カセット３８のオフセット量を設定することで、何れのカセット３８から合紙１３及び印刷版１２を持ち出しても、上層側のカセット３８と干渉することなく持ち出すことが可能となっている。
【００３３】
なお、印刷版１２と上層側のカセット３８とは全く干渉しないのが最も好ましいが、カセット３８に当接する面が合紙１３（印刷版１２の裏面側）であるため、カセットストッカ部１１の平面視上のスペースを小さくすることを前提とすれば、吸着盤４０の昇降方向（垂直方向）移動時並びに回転移動時での接触を回避しさえすれば、吸着盤４０の移動左右方向（水平方向）移動時には多少の接触があってもよい。
【００３４】
前記吸着盤４０が１８０°回転すると、図４の状態では下側が合紙１３、上側が印刷版１２となって、搬送ローラ１０８へ受け渡されるようになっている。
【００３５】
搬送ローラ１０８の下側のローラ１０８Ａに隣接するローラ１０７にはベルト５６が巻き掛けられている。このベルト５６は、露光部１４の搬送ガイドユニット１８近傍に配設された一対のローラ７４の右側のローラ７４Ａにも巻き掛けられている。一対のローラ７４の下方には、さらに一対のローラ７６が設けられ、ベルト５６は、この下方のローラ７６の右側のローラ７６Ａ、並びに一対の小ローラ７８のそれぞれに巻き掛けられ、全体として略Ｌ字型のループを形成して図４の矢印Ｄ方向へ駆動する。
【００３６】
なお、上方の一対のローラ７４の左側のローラ７４Ｂ及び下方の一対のローラ７６の左側のローラ７６Ｂとの間にはベルト８０が渡してある。
【００３７】
ローラ７４Ｂは搬送方向に対して逆方向に回転するローラであり、合紙１３との摩擦力が大きくなる構造となっている。通常搬送時、ローラ７４Ｂは搬送面より下側に待避している。印刷版１２及び合紙１３がローラ７４Ｂ上を通過した後にローラ７４Ｂが上昇し、摩擦力により合紙１３をローラ７４間に引き込み、ローラ７４Ｂは待避する。合紙１３は下方の一対のローラ７６へと送られて廃棄される構成である（図４の鎖線矢印Ｅ参照）。
【００３８】
一方、印刷版１２は、上方の一対のローラ７４の上方を通過し、給版ガイド２０へと送り込まれるようになっている（図４の実線矢印Ｆ参照）。
［吸着盤４０の構成］
図１には、本第１の実施の形態に係る吸着盤４０の構成が断面図にて示されている。
【００３９】
この吸着盤４０は、本体部４２とスカート部４４及びモーメント吸収手段としてのスプリング５０によって構成されている。
【００４０】
本体部４２は、剛性体（例えば、金属材や硬質の樹脂材等）によって形成されており、前述した如き合紙１３及び印刷版１２の吸着時に、合紙１３に対向し吸着力を発生するための吸着面４６を有している。この吸着面４６は、微少な（例えば、５μｍ〜５００μｍ程度）の凹凸面とされている。この場合、例えば、ブラスと処理や所定の塗装処理によって実現できる。また、このような表面処理によるに限らず、例えば、高剛性のスポンジやブラシ等によって当該表面を構成することも可能である。
【００４１】
さらに、前記吸着時における本体部４２の吸着面４６と合紙１３との間隙が、０．５ｍｍ以下となるように設定されている。
【００４２】
一方、スカート部４４は、弾性体（例えば、ゴム材等）によって形成されており、本体部４２の吸着面４６の周囲に設けられている。このスカート部４４は、前記吸着時に弾性変形して合紙１３に密着し、気密性を確保することができる構成である。
【００４３】
またここで、本体部４２の吸着面４６に直交する方向（図１のＺ方向）におけるスカート部４４の弾性力をＥ１とし、本体部４２の吸着面４６に平行な方向（図１のＸ方向）におけるスカート部４４の弾性力をＥ２とし、前記吸着時における本体部４２内圧の、前記吸着面４６に直交する方向成分の総和をＰ１とし、前記吸着時における本体部４２内圧の、前記吸着面４６に平行な方向成分の総和をＰ２とするときに、
Ｅ１＜Ｐ１でかつＥ２＞Ｐ２
の関係が成立するように設定されている。
【００４４】
さらに、前記吸着時におけるスカート部４４の合紙１３密着面４８が、本体部４２の吸着面４６と平行になるように、本体部４２及びスカート部４４の形状等が設定されている。
【００４５】
一方、スプリング５０は、本体部４２に接続されると共に基部５２に取り付けられて本体部４２を支持している。このスプリング５０は、吸着盤４０によって印刷版１２を吸着して枚葉する際に、弾性変形することによって、印刷版１２から作用するモーメント方向へ本体部４２を変位させて前記モーメントを実質的に吸収することができる構成である。
【００４６】
次に、本第１の実施の形態の作用を説明する。
【００４７】
上記構成の印刷版自動露光装置１０では、カセット３８から印刷版１２（及び合紙１３）を取り出すとき、複数段に重ねられたカセット３８の１つを特定する。カセット３８が特定されると、吸着盤４０を当該特定されたカセット３８の図４の右端部近傍へ位置決めする。位置決め後は、吸着盤４０をカセット３８の高さ位置まで下降させるが、このとき、それぞれのカセット３８の高さ位置が異なるが、それぞれ単純な直線的な移動となる。
【００４８】
吸着盤４０が下降すると、当該特定されたカセット３８での最上層に位置する合紙１３に接触する。この状態で、吸着盤４０による吸着を開始し、吸着盤４０は上昇を開始する。この上昇時、吸着盤４０は、最上層の合紙１３と共に、次層の印刷版１２を吸着する。
【００４９】
ここで、カセット３８から離脱するとき、吸着された印刷版１２に静電気及び版自体の真空密着により次層の合紙１３や印刷版１２が密着することがある。このとき、カセット３８に設けられたさばき板３９により、さばかれることで、吸着力を受けている最上層の合紙１３と、次層の印刷版１２のみがカセット３８から持ち出される。
【００５０】
吸着盤４０が印刷版１２（及び合紙１３）を持ち出し、最上点となると、基点７０を中心に１８０°回転しながら、露光部１４方向へ水平移動する。このとき、印刷版１２のピックアップ位置（吸着盤４０の吸着点）は、所謂サイクロイド曲線を描いて移動する。このため、下層側のカセット３８から持ち出された印刷版１２（及び合紙１３）は、自身の腰の強さと共に上層側のカセット３８に対して回り込みながら搬送されるため、ほとんど接触することがない。なお、上層側のカセット３８と接触するのは、印刷版１２の裏面側であるため、多少の接触は許容できる。
【００５１】
１８０°回転した印刷版１２（及び合紙１３）は、搬送ローラ１０８へ受け渡される。さらに、印刷版１２及び合紙１３がローラ７４Ｂ上を通過した後にローラ７４Ｂが上昇し、摩擦力により合紙１３がローラ７４間に引き込まれて印刷版１２から剥離され、剥離された合紙１３は、ベルト５６の駆動と共に下方の一対のローラ７６へと送られて、図示しない廃棄ボックスへ廃棄される。
【００５２】
一方、印刷版１２は、ガイド板１０９を略水平に搬送し続け、給版ガイド２０へと送り込まれる。給版ガイド２０上の印刷版１２は、回転ドラム１６へ送り込まれ、先端チャック２６によって印刷版１２の先端部が保持され、この状態で回転ドラム１２が回転することで回転ドラム１６の周面に緊密に巻き付けられ、その後、後端チャック３６によって印刷版１２の後端が保持されることで、露光のための準備が完了する。
【００５３】
この状態で、画像データを読み込み、記録ヘッド部３７からの光ビームによって露光処理が開始される。露光処理は、回転ドラム１６を高速で回転させながら（主走査）、記録ヘッド部３７を回転ドラム１６の軸線方向へ移動する、所謂走査露光である。
【００５４】
露光処理が終了すると、搬送ガイドユニット１８を切り換え（排版ガイド２２を回転ドラム１６へ対応させ）、次いで、回転ドラム１６に巻きつけた印刷版１２を接線方向から排出していく。このとき、印刷版１２は、排版ガイド２２に送られる。印刷版１２が排版ガイド２２に送られると、搬送ガイドユニット１８を切り換え、排版ガイド２２を排出口へ対応させ、印刷版１２を排出させる。この排出方向には、現像部が設けられており、印刷版１２は続けて現像処理される。
【００５５】
ここで、前述の如くカセット３８内の合紙１３及び印刷版１２を吸着盤４０によって吸着し枚葉するに際しては、印刷版１２と合紙１３とを合紙１３の側から共に同時に吸着して枚葉する。この吸着盤４０による吸着に際しては、本体部４２の吸着面４６が合紙１３に対向して吸着力を発生し、スカート部４４が合紙１３に添って追従しながら弾性変形して合紙１３に密着し気密性が確保される。
【００５６】
この場合、図２に示す如く、枚葉時に印刷版１２から吸着盤４０にモーメントが作用しなければ、本体部４２は何れの方向へも変位（傾斜）されることがない。また、吸着の際の負荷が掛かっても、本体部４２は剛性体によって形成されているため、吸着の際の負荷によって本体部４２が変形することがない。したがって、合紙１３がつられて変形することがなく、合紙１３にシワが発生することがなくなる。このため、合紙１３と印刷版１２との間で空気漏れが生じることがなく、合紙１３と印刷版１２とを共に同時に安定して吸着して枚葉することができる。
【００５７】
一方、図３に示す如く、枚葉時に印刷版１２から荷重Ｗに起因したモーメントＭ（＝Ｗ×Ｌ１）が吸着盤４０にが作用すると、吸着盤４０の本体部４２にはモーメント吸収手段としてのスプリング５０が接続されているため、このスプリング５０が弾性変形することで、作用したモーメント方向へ本体部４２が変位（傾斜）されて吸着盤４０（本体部４２）に対する実荷重が減少し（Ｗ＞Ｗ’）、結果的に吸着盤４０の吸着位置に対するモーメントＭ’（＝Ｗ’×Ｌ２）が減少された状態となる（モーメントＭが実質的に吸収される）。この場合、前記モーメントＭの吸収方向は、吸着盤４０に対して全方向である。
【００５８】
したがって、吸着し枚葉する際の負荷が吸着盤４０に掛かっても過大な前記モーメントＭが吸着盤４０に作用することがない。また、前記モーメントＭを逃がすスプリング５０（弾性体）が吸着盤４０の本体部４２及びスカート部４４と構造上分離しているので、吸着盤４０（本体部４２及びスカート部４４）が変形することがなくなる。このため、合紙１３がつられて変形することがなく、合紙１３にシワが発生することがなくなる。この結果、合紙１３と印刷版１２との間で空気漏れが生じることがなく、印刷版１２と合紙１３とを共に同時に安定して吸着して枚葉することができる。
【００５９】
次に、本発明の他の実施の形態を説明する。
【００６０】
なお、前記第１の実施の形態と実質的に同一の部品には、前記第１の実施の形態と同一の符号を付与し、その説明を省略する。
【００６１】
図６には、第２の実施の形態に係る吸着盤８４の構成が示されている。
【００６２】
この吸着盤８４では、本体部４２にモーメント吸収手段としてのゴム体８６が接続されている。このゴム体８６は、前述した第１の実施の形態に係るスプリング５０と同様に、吸着盤８４が印刷版１２を吸着して枚葉する際に弾性変形することによって、印刷版１２から作用するモーメント方向へ本体部４２を変位させて前記モーメントを実質的に吸収することができる機能を有している。
【００６３】
本第２の実施の形態に係る吸着盤８４においても、枚葉時に印刷版１２からモーメントが作用すると、ゴム体８６が弾性変形することで、モーメント方向へ本体部４２が変位（傾斜）されて吸着盤８４（本体部４２）に対する実荷重が減少し、結果的に吸着盤８４の吸着位置に対するモーメントが減少された状態となる（モーメントが実質的に吸収される）。この場合にも、前記モーメントの吸収方向は、吸着盤８４に対して全方向である。
【００６４】
したがって、吸着し枚葉する際の負荷が吸着盤８４に掛かっても過大な前記モーメントが吸着盤８４に作用することがない。また、モーメントを逃がすゴム体８６（弾性体）が吸着盤８４の本体部４２及びスカート部４４と構造上分離しているので、吸着盤８４（本体部４２及びスカート部４４）が変形することがなくなる。このため、合紙１３がつられて変形することがなく、合紙１３にシワが発生することがなくなる。この結果、合紙１３と印刷版１２との間で空気漏れが生じることがなく、印刷版１２と合紙１３とを共に同時に安定して吸着して枚葉することができる。
【００６５】
次に、図７には、第３の実施の形態に係る吸着盤８８の構成が示されている。
【００６６】
この吸着盤８８では、本体部４２は支軸９０によって基部５２に回動可能に支持されている。また、本体部４２にはストッパー９２が設けられており、本体部４２の支軸９０周りの前記回動を所定範囲に制限している。
【００６７】
さらに、本体部４２の一端部には、モーメント吸収手段としての引張りスプリング９４が接続されている。この引張りスプリング９４は、前述した第１の実施の形態に係るスプリング５０や第２の実施の形態に係るゴム体８６と同様に、吸着盤８８が印刷版１２を吸着して枚葉する際に弾性変形することによって、印刷版１２から作用するモーメント方向へ本体部４２を変位（支軸９０周り回動し傾斜）させて前記モーメントを実質的に吸収することができる機能を有している。
【００６８】
本第３の実施の形態に係る吸着盤８８においても、枚葉時に印刷版１２からモーメントが作用すると、引張りスプリング９４が弾性変形することで、モーメント方向へ本体部４２が変位（支軸９０周り回動し傾斜）されて吸着盤８８（本体部４２）に対する実荷重が減少し、結果的に吸着盤８８の吸着位置に対するモーメントが減少された状態となる（モーメントが実質的に吸収される）。なお、この場合には、前記モーメントの吸収方向は、吸着盤８８に対して１方向（支軸９０周りの回動方向）である。
【００６９】
したがって、吸着し枚葉する際の負荷が吸着盤８８に掛かっても過大な前記モーメントが吸着盤８８に作用することがない。また、モーメントを逃がす引張りスプリング９４（弾性体）が吸着盤８８の本体部４２及びスカート部４４と構造上分離しているので、吸着盤８８（本体部４２及びスカート部４４）が変形することがなくなる。このため、合紙１３がつられて変形することがなく、合紙１３にシワが発生することがなくなる。この結果、合紙１３と印刷版１２との間で空気漏れが生じることがなく、印刷版１２と合紙１３とを共に同時に安定して吸着して枚葉することができる。
【００７０】
【発明の効果】
以上説明した如く本発明に掛かる印刷版の吸着盤では、吸着して枚葉する際に保護シートにシワが発生することがなく、印刷版と保護シートとを共に同時に安定して吸着して枚葉することができるという優れた効果を有する。
【図面の簡単な説明】
【図１】本発明の第１の実施の形態に係る吸着盤の構成を示す通常状態における断面図である。
【図２】本発明の第１の実施の形態に係る吸着盤の構成を示し吸着時にモーメントが作用しない状態における側面図である。
【図３】本発明の第１の実施の形態に係る吸着盤の構成を示し吸着時にモーメントが作用した状態における側面図である。
【図４】本発明の実施の形態に係る吸着盤が適用された印刷版自動露光装置の概略図である。
【図５】本発明の実施の形態に係る吸着盤が吸着するカセット内の合紙と印刷版との集積状態を示す側面図である。
【図６】本発明の第２の実施の形態に係る吸着盤の構成を示す断面図である。
【図７】本発明の第３の実施の形態に係る吸着盤の構成を示す断面図である。
【符号の説明】
１０    印刷版自動露光装置
１２    印刷版
１２Ａ  支持体
１２Ｂ  乳剤面
１３    合紙（保護シート）
３８    カセット
４０    吸着盤
４２    本体部
４４    スカート部
４６    吸着面
４８    密着面（保護シート密着面）
５０    スプリング（モーメント吸収手段）
８４    吸着盤
８６    ゴム体（モーメント吸収手段）
８８    吸着盤
９４    引張りスプリング（モーメント吸収手段）
【図１】
2004189392.tif 000003
【図２】
2004189392.tif 000004
【図３】
2004189392.tif 000005
【図４】
2004189392.tif 000006
【図５】
2004189392.tif 000007
【図６】
2004189392.tif 000008
【図７】
2004189392.tif 000009